(57)【要約】【課題】表示装置において高信頼性の封止構造の提供。【解決手段】間隔をあけて相互に重なるように配置された第１部分及び第２部分と、前記第１部分及び前記第２部分を連結して屈曲する第３部分と、を連続一体的に有するフレキシブル基板と、前記第１部分、前記第２部分及び前記第３部分で囲まれた領域内に配置されるように、前記第１部分に積層された発光素子層と、前記第２部分と前記発光素子層との間に介在する充填材層と、を有することを特徴とする表示装置。【選択図】図３Ｂ
2015232933.tif 000002
【特許請求の範囲】
【請求項１】
間隔をあけて相互に重なるように配置された第１部分及び第２部分と、前記第１部分及び前記第２部分を連結して屈曲する第３部分と、を連続一体的に有するフレキシブル基板と、
前記第１部分、前記第２部分及び前記第３部分で囲まれた領域内に配置されるように、前記第１部分に積層された発光素子層と、
前記第２部分と前記発光素子層との間に介在する充填材層と、
を有することを特徴とする表示装置。
【請求項２】
カラーフィルタ層をさらに有する、
ことを特徴とする請求項１に記載の表示装置。
【請求項３】
前記カラーフィルタ層は前記充填材層と前記第２部分の間にある、
ことを特徴とする請求項２に記載の表示装置。
【請求項４】
前記カラーフィルタ層は前記発光素子層と前記充填材層の間にある、
ことを特徴とする請求項２に記載の表示装置。
【請求項５】
タッチセンサ層をさらに有する、
ことを特徴とする請求項１に記載の表示装置。
【請求項６】
前記タッチセンサ層は、縦に延びる電極と横に延びる電極とを含む、
ことを特徴とする請求項５に記載の表示装置。
【請求項７】
前記タッチセンサ層は前記充填材層と前記第２部分の間にある、
ことを特徴とする請求項５又は６に記載の表示装置。
【請求項８】
前記第１部分、前記第２部分及び前記第３部分で囲まれた前記領域の、前記第３部分に近い側の端部に乾燥材をさらに有する、
ことを特徴とする請求項１乃至７いずれか一項に記載の表示装置。
【請求項９】
前記乾燥材は、前記充填材層の内部にある、
ことを特徴とする請求項８に記載の表示装置。
【請求項１０】
前記第１部分、前記第２部分及び前記第３部分で囲まれた前記領域の、前記第３部分から露出する端部を封止するシール材をさらに有する、
ことを特徴とする請求項１乃至９いずれか一項に記載の表示装置。
【請求項１１】
前記第１部分は、前記第３部分とは反対方向に前記第２部分から突出する延長部を有する、
ことを特徴とする請求項１乃至１０いずれか一項に記載の表示装置。
【請求項１２】
前記第２部分は、前記第３部分とは反対方向に前記第１部分から突出する延長部を有する、
ことを特徴とする請求項１乃至１０いずれか一項に記載の表示装置。
【請求項１３】
前記第１部分は、前記第３部分とは反対方向に前記第２部分から突出する第１延長部を有し、
前記第２部分は、前記第３部分とは反対方向に前記第１部分から突出する第２延長部を有する、
ことを特徴とする請求項１乃至１０いずれか一項に記載の表示装置。
【請求項１４】
前記第１延長部及び前記第２延長部は、相互に対向しないように、突出方向に直交する反対方向にずれて設けられている、
ことを特徴とする請求項１３に記載の表示装置。
【請求項１５】
前記第２部分は、前記第１部分から突出する第３延長部を有し、
前記第３延長部は、前記第１部分の、前記第３部分との接続部を除く端部から突出して、前記領域を封止するように、前記第１部分の周縁に向けて屈曲している、
ことを特徴とする請求項１乃至１４いずれか一項に記載の表示装置。
【発明の詳細な説明】
【技術分野】
【０００１】
本発明は、表示装置の製造方法に関する。
【背景技術】
【０００２】
有機エレクトロルミネッセンス表示装置などの水分に弱い素子を使用した表示パネルは、大気中から侵入してくる水分を遮断する必要があるため、素子を封止する構造が必要になっている。高信頼性の封止方法を低コストで実現するために、特許文献１に開示するようなロール・ツー・ロール方式を適用することが考えられる。
【先行技術文献】
【特許文献】
【０００３】
【特許文献１】特開２０１２−１１３９１６号公報
【特許文献２】特開２０１２−２２０６３６号公報
【発明の概要】
【発明が解決しようとする課題】
【０００４】
特許文献１では照明器具が想定されているため、正確な位置合わせが要求されない。これに対して、表示装置では、薄膜トランジスタ基板と対向基板の高精度な位置合わせが必要であり、ロール・ツー・ロール方式ではそれが困難であった。また、ロール・ツー・ロール方式では、大面積の一括貼りを行うので、装置が大規模化するという問題があった。なお、特許文献２には、表示素子が積層されたフレキシブル基板と一体化するように配線基板を形成することが開示されているが、封止については言及されていない。
【０００５】
本発明は、表示装置において高信頼性の封止構造を提供することを目的とする。
【０００６】
また、本発明の前記ならびにその他の目的と新規な特徴は、本明細書の記述および添付図面によって明らかにする。
【課題を解決するための手段】
【０００７】
本発明における表示装置は、間隔をあけて相互に重なるように配置された第１部分及び第２部分と、前記第１部分及び前記第２部分を連結して屈曲する第３部分と、を連続一体的に有するフレキシブル基板と、前記第１部分、前記第２部分及び前記第３部分で囲まれた領域内に配置されるように、前記第１部分に積層された発光素子層と、前記第２部分と前記発光素子層との間に介在する充填材層とを有することを特徴とする。
【０００８】
また、本発明における表示装置は、カラーフィルタ層をさらに有することとしてもよい。また、前記カラーフィルタ層は前記充填材層と前記第２部分の間にあることとしてもよい。また、前記カラーフィルタ層は前記発光素子層と前記充填材層の間にあることとしてもよい。
【０００９】
また、本発明における表示装置は、タッチセンサ層をさらに有することとしてもよい。また、前記タッチセンサ層は、縦に延びる電極と横に延びる電極とを含むこととしてもよい。また、前記タッチセンサ層は前記充填材層と前記第２部分の間にあることとしてもよい。
【００１０】
また、本発明における表示装置は、前記第１部分、前記第２部分及び前記第３部分で囲まれた前記領域の、前記第３部分に近い側の端部に乾燥材をさらに有することとしてもよい。また、前記乾燥材は、前記充填材層の内部にあることとしてもよい。
【００１１】
また、本発明における表示装置は、前記第１部分、前記第２部分及び前記第３部分で囲まれた前記領域の、前記第３部分から露出する端部を封止するシール材をさらに有することとしてもよい。
【００１２】
また、前記第１部分は、前記第３部分とは反対方向に前記第２部分から突出する延長部を有することとしてもよい。また、前記第２部分は、前記第３部分とは反対方向に前記第１部分から突出する延長部を有することとしてもよい。
【００１３】
また、前記第１部分は、前記第３部分とは反対方向に前記第２部分から突出する第１延長部を有し、前記第２部分は、前記第３部分とは反対方向に前記第１部分から突出する第２延長部を有することとしてもよい。また、前記第１延長部及び前記第２延長部は、相互に対向しないように、突出方向に直交する反対方向にずれて設けられていることとしてもよい。
【００１４】
また、前記第２部分は、前記第１部分から突出する第３延長部を有し、前記第３延長部は、前記第１部分の、前記第３部分との接続部を除く端部から突出して、前記領域を封止するように、前記第１部分の周縁に向けて屈曲していることとしてもよい。
【発明の効果】
【００１５】
本発明によって、表示装置において高信頼性の封止構造を提供される。
【図面の簡単な説明】
【００１６】
【図１Ａ】本発明の第１実施形態であるＯＬＥＤ表示装置が製造される一例を模式的に示す図である。
【図１Ｂ】本発明の第１実施形態であるＯＬＥＤ表示装置が製造される一例を模式的に示す図である。
【図１Ｃ】切断工程後の、複数のフレキシブル基板で構成されるシートを示す平面図である。
【図１Ｄ】図１Ｃにおける一点破線αにて示される屈曲する位置にて折り曲げられた状態を示す平面図である。
【図２Ａ】本発明の第１実施形態に係る表示装置を構成するフレキシブル基板に、充填材層等が積層された状態を示す平面図である。
【図２Ｂ】図２Ａの切断線ＩＩＢ‐ＩＩＢにおける断面図である。
【図３Ａ】第１実施形態に係る表示装置の平面図である。
【図３Ｂ】図３Ａの切断線ＩＩＩＢ‐ＩＩＩＢにおける断面図である。
【図３Ｃ】第１実施形態に係る表示装置の変形例を示し、図３Ａの切断線ＩＩＩＢ‐ＩＩＩＢにおける断面図である。
【図３Ｄ】第１実施形態に係る表示装置の他の変形例を示し、図３Ａの切断線ＩＩＩＢ‐ＩＩＩＢにおける断面図である。
【図４】表示装置に備えられるタッチセンサ層に含まれる検出電極の配置を模式的に示す一部拡大平面図である。
【図５Ａ】第２実施形態に係る表示装置を構成するフレキシブル基板の平面図である。
【図５Ｂ】図５Ａの切断線ＶＢ‐ＶＢにおける断面図である。
【図６Ａ】第３実施形態に係る表示装置を構成するフレキシブル基板の平面図である。
【図６Ｂ】図６Ａの切断線ＶＩＢ‐ＶＩＢにおける断面図である。
【図７Ａ】第４実施形態に係る表示装置を構成するフレキシブル基板の平面図である。
【図７Ｂ】図７Ａの切断線ＶＩＩＢ‐ＶＩＩＢにおける断面図である。
【図８Ａ】第５実施形態に係る表示装置を構成するフレキシブル基板の平面図である。
【図８Ｂ】図８Ａの切断線ＶＩＩＩＢ‐ＶＩＩＩＢにおける断面図である。
【図８Ｃ】第５実施形態に係る表示装置の平面図である。
【図８Ｄ】図８Ｃの切断線ＶＩＩＩＤ‐ＶＩＩＩＤにおける断面図である。
【発明を実施するための形態】
【００１７】
［第１実施形態］
本発明の第１実施形態に係る表示装置は、間隔をあけて相互に重なるように配置された第１部分及び第２部分と、前記第１部分及び前記第２部分を連結して屈曲する第３部分と、を連続一体的に有するフレキシブル基板と、前記第１部分、前記第２部分及び前記第３部分で囲まれた領域内に配置されるように、前記第１部分に積層された発光素子層と、前記第２部分と前記発光素子層との間に介在する充填材層と、を有することを特徴とする。
【００１８】
本発明の第１実施形態に係る表示装置は、例えばＯＬＥＤ（Organic Light-Emitting Diode）表示装置に適用されることとしてもよい。以下、本発明の第１実施形態に係る表示装置が、ＯＬＥＤ表示装置に適用される例に基づいて説明する。
【００１９】
図１Ａ、図１Ｂは、本発明の第１実施形態であるＯＬＥＤ表示装置が製造される一例を模式的に示す図である。本発明の第１実施形態であるＯＬＥＤ表示装置は、例えば図１Ａ、図１Ｂに示されるように、フレキソ印刷技術を適用し製造されることとしてもよい。
【００２０】
図１Ａに示される搬送ロール３００により搬送され、切断することによってＯＬＥＤ表示装置を構成するフレキシブル基板を複数得ることができるシート２００が搬送される。すなわち、搬送ロール３００によって搬送されるシート２００には、ＯＬＥＤ表示装置を構成するフレキシブル基板が複数形成されている。
【００２１】
そして、搬送ロール３００によって搬送されるシート２００に備えられる、それぞれのフレキシブル基板の第１部分には、ＴＦＴ（Thin Film Transistor）、発光素子層を含むＯＬＥＤが備えられている。また、フレキシブル基板の第２部分には、例えばカラーフィルタが備えられている。
【００２２】
そして、フレキシブル基板の第１部分及び／又は第２部分上には、例えばインキタンク３０１に貯蔵されインキチャンバ３０２から供給された充填材層を形成する材料や、フレキシブル基板２０の第１部分及び第２部分を連結して屈曲する第３部分を屈曲した際、第１部分、第２部分及び第３部分で囲まれた領域を封止するためのシール材が、アニロックスロール３０３を介して塗布される。
【００２３】
具体的には、図１Ｂに示されるように、充填材層を形成する材料や、シール材が、版胴３０４表面に備えられた樹脂凸版３０５に塗布され、該樹脂凸版３０５と搬送ロール３００との間を通過するフレキシブル基板を複数含むシート２００に転写される。
【００２４】
その後、シート２００は再度ロール搬送され、例えばカッター３０６を用いて、より少ない単位のフレキシブル基板で構成されるシート（図１Ｃにおける２００ｂ）に切断される（該工程を切断工程と呼ぶこととする）。
【００２５】
図１Ｃは、切断工程後の、複数のフレキシブル基板で構成されるシートを示す平面図である。図２Ａは、本発明の第１実施形態に係る表示装置を構成するフレキシブル基板に、充填材層等が積層された状態を示す平面図である。図２Ｂは、図２Ａの切断線ＩＩＢ‐ＩＩＢにおける断面図である。
【００２６】
図１Ｃ、２Ａ、及び２Ｂにおける一点破線αは、第１部分及び前記第２部分を連結して屈曲する位置を示している。また、図１Ｄは、図１Ｃにおける一点破線αにて示される屈曲する位置にて折り曲げられた状態を示す平面図である。そして、図１Ｃ、１Ｄにおける一点破線βにて切断をすることによって、第１実施形態に係る表示装置を構成するフレキシブル基板２０の一単位が得られることとなる。
【００２７】
図２Ａは、第１実施形態に係る表示装置を構成するフレキシブル基板の平面図である。また、図２Ｂは、図２Ａの切断線ＩＩＢ‐ＩＩＢにおける断面図である。
【００２８】
図２Ａ、図２Ｂに示されるように、第１実施形態に係る表示装置を構成するフレキシブル基板の第１部分と、第２部分と、屈曲する第３部分と、は連続一体的に形成されている。そして、フレキシブル基板を第３部分にて屈曲した場合、第１部分と第２部分とは、間隔をあけて、平面視において相互に重なるように配置されている。
【００２９】
また、フレキシブル基板は、柔軟性に優れ可撓性を有するものである。フレキシブル基板は、例えば、ポリイミド、ポリエチレンテレフタレート（ＰＥＴ）によって形成されることとしてもよい。
【００３０】
また、フレキシブル基板の厚さは、例えば０．１ｍｍ以下であることとしてもよいし、０．０５ｍｍ以下であることとしてもよい。また、フレキシブル基板における第３部分は、他の部分と比較してより屈曲しやすい特性を持たせるために、例えば、フレキシブル基板の第３部分の厚さは、第１部分の厚さ及び第２部分の厚さと比較して小さいこととしてもよい。
【００３１】
また、また、フレキシブル基板における第３部分は、他の部分と比較してより屈曲しやすい特性を持たせるために、例えば、フレキシブル基板の第３部分には、屈曲する方向と平行に厚さの異なる筋を複数備えることとしてもよい。また、フレキシブル基板の第３部分には、屈曲する方向と平行に厚さの小さい異なる筋を複数備えることとしてもよい。
【００３２】
また、フレキシブル基板の第１部分には、発光素子層が積層され備えらており、また、発光素子層の更に上面（発光素子層の、フレキシブル基板の第１部分と対向する側とは反対側の面）には充填材層が備えられている。これによって、フレキシブル基板を第３部分にて屈曲した場合、該発光素子層及び該充填材層は、フレキシブル基板の第１部分、第２部分及び該３部分で囲まれた領域内に配置されることとなる。また、該充填材層は、第２部分と発光素子層との間に介在することとなる。
【００３３】
また、第１実施形態に係る表示装置を構成するフレキシブル基板の第２部分には、図２Ｂに示されるように、機能層５０を有することとしてもよい。例えば、機能層５０とは、カラーフィルタ層であることとしてもよく、またタッチセンサ層であることとしてもよい。
【００３４】
図３Ａは、第１実施形態に係る表示装置の平面図である。また、図３Ｂは、図３Ａの切断線ＩＩＩＢ‐ＩＩＩＢにおける断面図である。本実施形態においては機能層５０として、カラーフィルタ層５０ａが備えられている。
【００３５】
図３Ｂに示されるように、表示装置１０は、間隔をあけて相互に重なるように配置された第１部分２１及び第２部分２２と、第１部分２１及び第２部分２２を連結して屈曲する第３部分２３と、を連続一体的に有するフレキシブル基板２０を有するものである。
【００３６】
そして、表示装置１０は、第１部分２１、第２部分２２及び第３部分２３で囲まれた領域内に配置されるように、第１部分２１に積層された発光素子層３０と、薄膜トランジスタ（ＴＦＴ）層２１０と、を有するものである。また、本実施形態における表示装置１０に備えられる発光素子層３０は、図３Ｂに示されるように陽極３１、ＯＬＥＤ３２、陰極３２、封止膜３４を含んで構成されている。
【００３７】
また、表示装置１０においてカラーフィルタ層５０ａは、図３Ｂに示されるように充填材層４０と第２部分２２の間に配置されることとしてもよい。
【００３８】
図３Ｄは、第１実施形態に係る表示装置１０の変形例を示し、図３Ａの切断線ＩＩＩＢ‐ＩＩＩＢにおける断面図である。表示装置１０においてカラーフィルタ層５０ａは、図３Ｃに示されるように発光素子層３０と充填材層４０の間に配置されることとしてもよい。
【００３９】
また、図３Ｃは、第１実施形態に係る表示装置１０の他の変形例を示し、図３Ａの切断線ＩＩＩＢ‐ＩＩＩＢにおける断面図である。図３Ｃに示される表示装置１０においては、機能層５０として、タッチセンサ層５０ｂが備えられている。表示装置１０においてタッチセンサ層５０ｂは、図３Ｂに示されるように充填材層４０と第２部分２２の間に配置されることとしてもよい。
【００４０】
また、図４は、表示装置１０に備えられるタッチセンサ層５０ｂに含まれる検出電極５１、５２の配置を模式的に示す一部拡大平面図である。
【００４１】
図４に示されるように、表示装置１０に備えられるタッチセンサ層５０ｂに含まれる第一の検出電極５１と第二の検出電極５２とは、菱（ダイヤモンド）型を並べて配置した形状とし、それぞれＸ方向及びＹ方向に延びる電極（縦に延びる電極と横に延びる電極）であることとしてもよい。静電容量表面型で採用されるベタ電極等と比べて複雑な形状であるが、このような菱（ダイヤモンド）型を連続して配置した形状の検出電極５１、５２を採用することによってタッチセンサの検出感度の向上が図れるため好ましい。またこれらの検出電極や層間膜、保護膜などは、ＴＦＴ回路ないしＯＬＥＤ構造を構成する電極等と同じ材料を用いて同じプロセスで形成することで、容易に実現することができる。
【００４２】
有機エレクトロルミネッセンス表示装置１０などの水分に弱い素子を使用した表示パネルは、大気中から侵入してくる水分を遮断する必要があるため、素子を封止する構造が必要になっている。第１実施形態に係る表示装置１０は、フレキシブル基板２０の第１部分２１における第３部分２３と垂直方向に交差する側の端部と、フレキシブル基板２０の第２部分２２における第３部分２３と垂直方向に交差する側の端部とは、従来用いられているシール材（図示せず）にて封止がされている。
【００４３】
また、フレキシブル基板２０の第１部分２１における第３部分２３と対向する側の反対側の端部（若しくは該端部と隣り合う領域）と、フレキシブル基板２０の第２部分２２における第３部分２３と対向する側の反対側の端部（若しくは該端部と隣り合う領域）は、従来用いられているシール材にて封止がされている。
【００４４】
ここで、フレキシブル基板２０の第３部分２３における封止は、該フレキシブル基板２０は連続一体的に形成されているため別途シール材を使用する必要がなく、単に第３部分２３を屈曲させるだけで、簡単かつ信頼性の高い封止が実現される。
【００４５】
シール材による封止は、シール材が適切に塗布されていない等、シール方法やシール材の材質に起因して、外部から表示装置１０の内部に水分が混入するというリスクをゼロにすることは困難であるが、第１実施形態に係る表示装置１０の第３部分２３における封止は、このようなリスクを取り除くことができ、結果、表示装置１０の封止はより信頼性が高いものとなる。
【００４６】
また、図３Ｂにて示されるように、表示装置１０は、フレキシブル基板２０の第１部分２１、第２部分２２及び第３部分２３で囲まれた領域の、第３部分２３（屈曲部）に近い側の端部に、乾燥材６０をさらに有することとしてもよい。このように、乾燥材６０を備えることによって、表示装置１０の大気中から仮に水分が侵入したとしても、発光素子層３０への影響を低減することとなる、表示装置１０の信頼性は更に高まることとなる。
【００４７】
また、表示装置１０に乾燥材６０を配置する場合、該乾燥材６０は充填材層４０の内部に配置することとしてもよい。このように、乾燥材６０を充填材の内部に配置することで乾燥材６０の備えられる位置を固定することとなり、水分を含んだ乾燥材６０が発光素子層３０に影響を与えるリスクを軽減することとなり、表示装置１０の信頼性は更に高まることとなる。
【００４８】
また、表示装置１０は、フレキシブル基板２０の第１部分２１、第２部分２２及び第３部分２３で囲まれた領域の、第３部分２３から露出する端部を封止するシール材をさらに有することとしてもよい。このように、フレキシブル基板２０の第１部分２１、第２部分２２及び第３部分２３で囲まれた領域の、第３部分２３から露出する端部を封止するシール材をさらに備えることによって、表示装置１０の信頼性は更に高まることとなる。
【００４９】
次に、本発明に係る表示装置１０の他の実施態様について説明する。なお、以下説明する他の実施形態のそれぞれと、上記説明した実施形態とは、フレキシブル基板２０の形状が異なるものであり、他の実施形態のそれぞれのフレキシブル基板２０以外の構成は、上記説明した実施形態の構成を適用することができる。
【００５０】
また、下記説明するそれぞれの実施形態に係る表示装置１０は、例えばＯＬＥＤ表示装置１０に適用されることとしてもよい。以下、本発明のそれぞれの実施形態に係る表示装置１０が、ＯＬＥＤ表示装置１０に適用される例に基づいて説明することとする。
【００５１】
［第２実施形態］
図５Ａは、第２実施形態に係る表示装置１０を構成するフレキシブル基板２０の平面図である。また、図５Ｂは、図５Ａの切断線ＶＢ‐ＶＢにおける断面図である。
【００５２】
図５Ａ等に示される本実施形態の表示装置１０に用いられるフレキシブル基板２０が、第３部分２３の屈曲する位置に相当する一点破線αで示される箇所で折り曲げされた場合、フレキシブル基板２０の第１部分２１は、屈曲部である第３部分２３とは反対方向に第２部分２２から突出する延長部２１ａを有する。
【００５３】
該延長部が備えられた表示装置１０は、例えば、該延長部２１ａに半導体チップ（ドライバＩＣ）等を実装し、ＣＯＦ（Chip on Film）技術を適用することが可能となる。
【００５４】
［第３実施形態］
図６Ａは、第３実施形態に係る表示装置１０を構成するフレキシブル基板２０の平面図である。また、図６Ｂは、図６Ａの切断線ＶＩＢ‐ＶＩＢにおける断面図である。
【００５５】
図６Ａ等に示される本実施形態の表示装置１０に用いられるフレキシブル基板２０が、第３部分２３の屈曲する位置に相当する一点破線αで示される箇所で折り曲げされた場合、フレキシブル基板２０の第２部分２２は、屈曲部である第３部分２３とは反対方向に第１部分２１から突出する延長部２２ａを有する。
【００５６】
該延長部が備えられた表示装置１０は、例えば、該延長部２２ａに半導体チップ（ドライバＩＣ）等を実装し、ＣＯＦ技術を適用することが可能となる。
【００５７】
［第４実施形態］
図７Ａは、第３実施形態に係る表示装置１０を構成するフレキシブル基板２０の平面図である。また、図７Ｂは、図７Ａの切断線ＶＩＩＢ‐ＶＩＩＢにおける断面図である。
【００５８】
図７Ａ等に示される本実施形態の表示装置１０に用いられるフレキシブル基板２０が、第３部分２３の屈曲する位置に相当する一点破線αで示される箇所で折り曲げされた場合、フレキシブル基板２０の第１部分２１は、屈曲部である第３部分２３とは反対方向に第２部分２２から突出する第１延長部２１ｂを有し、フレキシブル基板２０の第２部分２２は、屈曲部である第３部分２３とは反対方向に第１部分２１から突出する第２延長部２２ｂを有する。
【００５９】
また、図７Ａ等に示されるように、第１延長部２１ｂ及び第２延長部２２ｂは、相互に対向しないように、突出方向に直交する反対方向にずれて設けられていることとしてもよい。
【００６０】
例えば、フレキシブル基板２０の第１部分２１に発光素子層３０、フレキシブル基板２０の第２部分２２にタッチセンサ層が配置された場合、第１延長部２１ｂに発光素子を制御するドライバＩＣを実装し、また第２延長部２２ｂにタッチセンサを制御するドライバＩＣを実装することによって、配線をフレキシブル基板２０上に集約することができ、表示装置１０全体の省スペース化、製造工程の簡素化が実現されることとなる。
【００６１】
［第５実施形態］
図８Ａは、第５実施形態に係る表示装置１０を構成するフレキシブル基板２０の平面図である。また、図８Ｂは、図８Ａの切断線ＶＩＩＩＢ‐ＶＩＩＩＢにおける断面図である。
【００６２】
図８Ａ等に示される本実施形態の表示装置１０に用いられるフレキシブル基板２０が、第３部分２３の屈曲する位置に相当する一点破線α１で示される箇所で折り曲げされた場合、フレキシブル基板２０の第２部分２２は、第１部分２１から突出する第３延長部２１ｃを有し、第３延長部は、第１部分２１の、第３部分２３との接続部を除く端部から突出して、第１部分２１、第２部分２２及び第３部分２３で囲まれた領域を封止するように、第１部分２１の周縁に向けて屈曲する（図８Ａ、図８Ｂにおける一点破線α２で示される箇所で屈曲する）。
【００６３】
図８Ｃは、第５実施形態に係る表示装置１０の平面図である。また、図８Ｄは、図８Ｃの切断線ＶＩＩＩＤ‐ＶＩＩＩＤにおける断面図である。
【００６４】
本実施形態に係る表示装置１０の周縁の３つの辺（図８ＣにおけるＳ１、Ｓ２、及びＳ３の辺）のうち１辺（図８ＣにおけるＳ１）は、第３部分２３を屈曲させることによって封止がされている。そして、本実施形態に係る表示装置１０の周縁の３つの辺（図８ＣにおけるＳ１、Ｓ２、及びＳ３の辺）のうち２辺（図８ＣにおけるＳ２、Ｓ３）は、図８Ｄに示されるように、第２部分２２の第３延長部２２ｃを、第１部分２１、第２部分２２及び第３部分２３で囲まれた領域を封止するように、第１部分２１の周縁に向けて屈曲することによって封止されている。
【００６５】
したがって、本実施形態における表示装置１０の周縁の４辺のうち、３辺に対しシール材を用いることなく封止を行うこととなり、表示装置１０の封止はより信頼性が高いものとなる。
【００６６】
なお、第５実施形態の変形例として、第３部分２３の屈曲する位置に相当する一点破線α１で示される箇所で折り曲げされた場合、フレキシブル基板２０の第１部分２１は、第２部分２２から突出する第３延長部を有し、第３延長部は、第２部分２２の、第３部分２３との接続部を除く端部から突出して、第１部分２１、第２部分２２及び第３部分２３で囲まれた領域を封止するように、第２部分２２の周縁に向けて屈曲することとしてもよい。
【符号の説明】
【００６７】
１０  表示装置（ＯＬＥＤ表示装置）、２０  フレキシブル基板、３０  発光素子層、４０  充填材層、５０  機能層、５０ａ  カラーフィルタ層、５０ｂ  タッチセンサ層、６０  乾燥材。
【図１Ａ】
2015232933.tif 000003
【図１Ｂ】
2015232933.tif 000004
【図１Ｃ】
2015232933.tif 000005
【図１Ｄ】
2015232933.tif 000006
【図２Ａ】
2015232933.tif 000007
【図２Ｂ】
2015232933.tif 000008
【図３Ａ】
2015232933.tif 000009
【図３Ｂ】
2015232933.tif 000010
【図３Ｃ】
2015232933.tif 000011
【図３Ｄ】
2015232933.tif 000012
【図４】
2015232933.tif 000013
【図５Ａ】
2015232933.tif 000014
【図５Ｂ】
2015232933.tif 000015
【図６Ａ】
2015232933.tif 000016
【図６Ｂ】
2015232933.tif 000017
【図７Ａ】
2015232933.tif 000018
【図７Ｂ】
2015232933.tif 000019
【図８Ａ】
2015232933.tif 000020
【図８Ｂ】
2015232933.tif 000021
【図８Ｃ】
2015232933.tif 000022
【図８Ｄ】
2015232933.tif 000023